(57)【要約】【課題】  水風船を作る際に水道蛇口を利用して風船に注水するが、水道蛇口の形状や径の違いに関係なく容易に迅速に注水することを可能にする補助手段を提供する。【解決手段】  補助手段として、一端側に風船口を嵌装させるノズル部２２を有するアダプタ本体１０の他端側に、水道蛇口の端縁に当接させる弾性シール板３が保持され、弾性シール板３に水道蛇口とノズル部２２とを連通させる通水孔３ａを有する水風船用注水アダプタＡを用いる。【選択図】  図２
2006340975.tif 000002
【特許請求の範囲】
【請求項１】
一端側に風船口を嵌装させるノズル部を有するアダプタ本体の他端側に、水道蛇口の端縁に当接させる弾性シール板が保持され、該弾性シール板に水道蛇口と前記ノズル部とを連通させる通水孔を有してなる水風船用注水アダプタ。
【請求項２】
前記アダプタ本体は、ノズル部側を下方として、弾性シール板の保持部が上方に開放すると共に、該保持部の周囲に上方へ立ち上がる環状突縁部を有してなる請求項１記載の水風船用注水アダプタ。
【請求項３】
前記アダプタ本体の内部に、水流を前記ノズル部の出口側への方向のみに規制する逆止弁が介装されてなる請求項１又は２に記載の水風船用注水アダプタ。
【請求項４】
前記アダプタ本体がシール板保持部材と筒状のノズル部材とで構成され、シール板保持部材は皿状の保持部下面にノズル部材を挿嵌させる連結用筒部が連設され、この連結用筒部の内端と、挿嵌されるノズル部材の先端との間に、内側を弁部とする開環状の切り込みを備えた可撓性材料からなる逆止弁が挟持されてなる請求項３記載の水風船用注水アダプタ。
【発明の詳細な説明】
【技術分野】
【０００１】
この発明は、合戦遊び等に使用される水風船を作る際に、水道蛇口から風船に水を注入するのに用いられる水風船用注水アダプタに関する。
【背景技術】
【０００２】
巷の子供たちの間で、水風船を相手に投げつけて破裂させる合戦遊びが広く行われている。このような合戦遊びをするには、その準備として風船に水を入れて水風船を作る必要があるが、従来では水道蛇口に風船口を直接に嵌めて注水する方法が普通であった。しかるに、近年では水道蛇口として形状や径の異なる多くの種類が採用されているため、水道蛇口からの直接注水に困難をきたすことが多くなっている。
【０００３】
そこで、風船と共に、逆止弁付きのポンプ（特許文献１参照）をセットにした商品も登場しているが、値段が高く付く上、ポンプがパケツ等の水に漬けた状態で圧迫操作によって送水するものであるため、技術と労力を要することに加え、一つの水風船を作るにもポンプを何度も圧迫操作することになり、能率が悪く却って不便であった。
【特許文献１】特開２００４−３２９７１１号公報（段落００１２）
【発明の開示】
【発明が解決しようとする課題】
【０００４】
この発明は、上述の事情に鑑みて、水風船を作る際に水道蛇口を利用して風船に注水するが、その水道蛇口の形状や径の違いに関係なく容易に且つ迅速に注水することを可能にする補助手段を提供することを目的としている。
【課題を解決するための手段】
【０００５】
上記目的を達成するために、請求項１の発明は、一端側に風船口を嵌装させるノズル部を有するアダプタ本体の他端側に、水道蛇口の端縁に当接させる弾性シール板が保持され、該弾性シール板に水道蛇口と前記ノズル部とを連通させる通水孔を有してなる水風船用注水アダプタを要旨としている。
【０００６】
また、請求項２の発明は、前記請求項１の水風船用注水アダプタにおいて、前記アダプタ本体は、ノズル部側を下方として、弾性シール板の保持部が上方に開放すると共に、該保持部の周囲に上方へ立ち上がる環状突縁部を有してなるものとしている。
【０００７】
更に、請求項３の発明は、前記請求項１又は２の水風船用注水アダプタにおいて、前記アダプタ本体の内部に、水流を前記ノズル部の出口側への方向のみに規制する逆止弁が介装されてなる構成としている。
【０００８】
そして、請求項４の発明では、上記請求項３の水風船用注水アダプタにおいて、前記アダプタ本体が保持ケース部材と筒状のノズル部材とで構成され、保持ケース部材は皿状の保持部の下面にノズル部材を挿嵌させる連結用筒部が連設され、この連結用筒部の内端と、挿嵌されるノズル部材の先端との間に、内側を弁部とする開環状の切り込みを備えた可撓性材料からなる逆止弁が挟持されてなるものとしている。
【発明の効果】
【０００９】
請求項１の発明に係る水風船用注水アダプタによれば、そのノズル部に風船口を嵌装した状態で、保持した弾性シール板を水道蛇口の端縁に当接させて水栓を開くことにより、水道水が該弾性シール板の通水孔よりノズル部に流入し、該ノズル部から風船内部に注水されることになる。しかして、この水風船用注水アダプタでは、弾性シール板を水道蛇口に当てがうだけで水道水が通水孔に流入するから、該水道蛇口の形状や径が種々異なっていても支障なく注水可能であり、その注水操作に技術や労力を要さず、また注水圧に水道の水圧を利用できるから、注水充填の能率がよく、短時間で多数の水風船を一挙に作ることができる。更に、この水風船用注水アダプタは、構造的に簡素であるため、安価に製作できると共に故障しにくいという利点もある。
【００１０】
請求項２の発明によれば、前記の水風船用注水アダプタの弾性シール板の保持部が上方に開放して周囲に環状突縁部を有することから、弾性シール板の表面を水道蛇口に当接し易いことに加え、当接力が弛んだ際にも環状突縁部によって周囲への水の飛散が防止され、それだけ使い勝手がよくなる。
【００１１】
請求項３の発明によれば、アダプタ本体の内部に逆止弁を有するため、風船内に注入した水が逆流して噴き出す懸念がなく、もって注水の作業性及び操作性がより向上する。
【００１２】
請求項４の発明によれば、上記逆止弁が可撓性材料に設けた開環状の切り込みの内側を弁部とする極めてシンプルな形態であって、且つ該逆止弁をアダプタ本体を構成する保持ケース部材とノズル部材との嵌合部分で挟持するようにしているから、水風船用注水アダプタ全体としても構造的に非常に簡素で容易に組立製作できる。
【発明を実施するための最良の形態】
【００１３】
以下、この発明に係る水風船用注水アダプタの実施形態について、図面を参照して具体的に説明する。
【００１４】
図１及び図２に示すように、この水風船用注水アダプタＡは、アダプタ本体１０を構成する硬質合成樹脂製の保持ケース部材１及びノズル部材２と、このアダプタ本体１０の上端側の保持部１１に嵌装された弾性シール板３と、該アダプタ本体１０の内部に装填された逆止弁４とからなる。
【００１５】
そして、保持ケース部材１は、図３でも示すように、上方に開放した丸皿状で周囲に上方へ立ち上がる環状突縁部１１ａを有する保持部１１と、この保持部１１の下面側中央に同心状に一体形成された短円筒状の連結用筒部１２とを備え、保持部１１の中心位置に連結用筒部１２内に連通する通水孔１３を有すると共に、連結用筒部１２の内周に環状凸部１４が設けてある。
【００１６】
ノズル部材２は、図４に示すように、全体が略円筒状であり、外径の小さい上部側が保持ケース部材１の連結用筒部１２の内側に適嵌し得る挿嵌筒部２１をなし、下端部が内径を絞ったノズル部２２を構成しており、挿嵌筒部２１の外周には保持ケース部材１の環状凸部１４に対応した環状凹部２３が形成されると共に、ノズル部２２の外周に抜け止めフランジ部２４が突設されている。
【００１７】
弾性シール板３は、発泡ゴム等の弾性材料の円板からなり、中央に通水孔３ａを有している（図１、２参照）。そして、この弾性シール板３をアダプタ本体１０の保持部１１に嵌装した際、その通水孔３ａが保持ケース部材１の通水孔１３と同心状に連通するようになっている（図２参照）。
【００１８】
逆止弁４は、ゴムや軟質合成樹脂の如き可撓性材料の円形シートからなり、図５に示すように、開環状の切り込み４ａを備え、その内側が略円形の弁部４０を構成している。しかして、この逆止弁４の外径は、保持ケース部材１の連結用筒部１２の内径、ならびにノズル部材２の挿嵌筒部２１の先端外径と略等しく設定されている。また弁部４０の径は、保持ケース部材１の通水孔１３の径より大きく、且つノズル部材２の挿嵌筒部２１の先端内径より小さく設定されている。
【００１９】
アダプタ本体１０は、保持ケース部材１の連結用筒部１２内にノズル部材２の挿嵌筒部２１を強制嵌入させることによって組み立てられるが、この組み立ての際に、予め保持ケース部材１の連結用筒部１２の内底に逆止弁４を装填しておく。これにより、逆止弁４は、保持ケース部材１の連結用筒部１２の内底面と、ノズル部材２の挿嵌筒部２１の先端面との間で周辺部を挟持固定される。そして、この固定状態において、弁部４０は、通水孔３ａ、１３からノズル部２２へ向かう下向き水流に対しては図２の仮想線で示すようにノズル部材２の内側へ垂れて開弁し、逆の上向き水流に対しては通水孔１３に蓋をする形で閉弁する。
【００２０】
なお、保持ケース部材１とノズル部材２の連結状態では、図２に示すように、保持ケース部材１側の環状凸部１４がノズル部材２側の環状凹部２３に嵌合するため、両部材１、２は容易には分離しなくなる。
【００２１】
このような構成の水風船用注水アダプタＡを用いて水風船を作るには、図６に示すように、ノズル部２２に風船Ｂの口部ｍを嵌めた状態で、保持部１１側を上にして該ノズル部２２を手Ｈで摘み、上に向けた保持部１１内の弾性シール板３を水道蛇口Ｃの先端に当てがい、水栓Ｓを開けばよい。これにより、水道水が通水孔３ａ、１３からノズル部２２を通って風船Ｂ内へ注入され、もって該風船Ｂが図示仮想線の如く膨れて水風船となる。
【００２２】
しかして、この水風船用注水アダプタＡでは、弾性シール板３を水道蛇口Ｃに当てがうだけで水道水が該弾性シール板３の通水孔３ａに流入するから、該水道蛇口Ｃの形状や径が種々異なっていても支障なく注水可能となる上、その注水操作に技術や労力を要しないため、子供でも簡単に水風船を作製できる。また、注水圧に水道の水圧を利用するから、注水充填を迅速に能率よく行え、短時間で多数の水風船を一挙に作ることができる。
【００２３】
また、この水風船用注水アダプタＡでは、保持部１１が上方に開放して周囲に環状突縁部１１ａを有するから、弾性シール板３の表面を水道蛇口Ｃに当接し易い上、その当接力が弛んだ際にも環状突縁部１１ａによって周囲への水の飛散が防止され、しかも内部の逆止弁４によって風船Ｂ内に注入した水が逆流して噴き出すこともないから、非常に使い勝手がよい。
【００２４】
更に、この実施形態では、逆止弁４が極めてシンプルな形態であって、且つ該逆止弁４をアダプタ本体１０を構成する保持ケース部材１とノズル部材２との嵌合部分で挟持するようにしているから、水風船用注水アダプタＡ全体としても構造的に非常に簡素であり、安価に製作できると共に故障しにくいという利点がある。
【００２５】
なお、この発明の水風船用注水アダプタは、各構成部の形状や配置等、細部構成については実施形態以外に種々設計変更可能であり、例えばアダプタ本体１０を構成する保持ケース部材１とノズル部材２とをねじによって連結する構成としたり、逆止弁としてコイルスプリングと球弁よりなるものを用いてもよい。
【図面の簡単な説明】
【００２６】
【図１】この発明の一実施形態に係る水風船用注水アダプタの斜視図である。
【図２】同水風船用注水アダプタの縦断側面図である。
【図３】同水風船用注水アダプタに用いる保持ケース部材の縦断側面図である。
【図４】同水風船用注水アダプタに用いるノズル部材の縦断側面図である。
【図５】同水風船用注水アダプタに用いる逆止弁の平面図である。
【図６】同水風船用注水アダプタを用いた水風船の作製操作を示す斜視図である。
【符号の説明】
【００２７】
１・・・・保持ケース部材
２・・・・ノズル部材
３・・・・弾性シール板
３ａ・・・通水孔
４・・・・逆止弁
４ａ・・・切り込み
１０・・・アダプタ本体
１１・・・保持部
１１ａ・・環状突縁部
２２・・・ノズル部
４０・・・弁部
Ａ・・・・水風船用注水アダプタ
Ｂ・・・・風船
Ｃ・・・・水道蛇口
【図１】
2006340975.tif 000003
【図２】
2006340975.tif 000004
【図３】
2006340975.tif 000005
【図４】
2006340975.tif 000006
【図５】
2006340975.tif 000007
【図６】
2006340975.tif 000008